(57)【特許請求の範囲】
【請求項１】
吸収器、蒸発器、再生器、熱交換器、溶液ポンプ及び冷媒ポンプを具備する単効用又は多重効用吸収冷凍機において、
少なくとも前記吸収器及び前記蒸発器を一つの缶胴に収めると共に、該吸収器と蒸発器の間に仕切り板を設け、該吸収器の伝熱管群を吸収器受け皿と缶胴と側板で囲い、該吸収器と該蒸発器との間には該側板と該仕切り板とに囲まれた該吸収器側に含まれる蒸気相の空間を設けたことを特徴とする吸収冷凍機。
【発明の詳細な説明】
【０００１】
【発明の属する技術分野】
本発明は単効用又は多重効用吸収冷凍機に係り、特に吸収器の構造の改良に関するものである。
【０００２】
【従来の技術】
この種の吸収冷凍機においては、吸収器部分が最も低圧になり、吸収冷凍機内に不凝縮ガスがあれば、この不凝縮ガスは吸収器に集まってくる。この不凝縮ガスが伝熱、吸収に悪影響を与えるので、エジェクター等の抽気手段でこの不凝縮ガスを抽気タンク等に集め、不凝縮ガスが伝熱、吸収に悪影響を与えるのを防いでいる。
【０００３】
吸収器内には蒸発器から冷媒蒸気が流入するが、吸収器の側面或いは下面からこの蒸気の流入を許すと、不凝縮ガスは、吸収器伝熱管群の中心部に集まり、外部への吸引が難しくなるという問題がある。そこで、吸収器の側面及び底面を囲い、蒸発器からの蒸気の流入を上部からに規制し、不凝縮ガスの集積する部分を吸収器の下部に特定し、不凝縮ガスを吸引しやすいようにしている例がある。
【０００４】
断面が矩形状の缶胴を持つ吸収冷凍機においては、下面に受け皿を設け、該受け皿を吸収器の底面の囲いとして用い、蒸発器と吸収器を仕切る仕切り板を吸収器の側面の囲いとして用い、更に他の側面の囲いに缶胴の一側部を用いることができる。
【０００５】
【発明が解決しようとする課題】
上記のように蒸発器と吸収器を仕切る仕切り板を吸収器の側面の直接の囲いとして用いると、吸収器の熱が直接蒸発器内の冷媒に伝わり、熱損失が生じると共に、吸収器側ではこの仕切り板に接触した溶液が蒸発器の低い温度により、溶質の結晶が析出し、長時間に渡っては側面付近の流路を塞いでしまうという問題が生じる。また、結晶析出により、仕切り板等の腐食の恐れもある。
【０００６】
本発明は上述の点に鑑みてなされたもので、吸収器の熱が直接蒸発器内の冷媒に伝わり、熱損失が生じたり、吸収器側で仕切り板に溶質の結晶が析出したり、結晶析出による仕切り板等の腐食の恐れがない吸収冷凍機を提供することを目的とする。
【０００７】
【課題を解決するための手段】
上記課題を解決するため本発明は、吸収器、蒸発器、再生器、熱交換器、溶液ポンプ及び冷媒ポンプを具備する単効用又は多重効用吸収冷凍機において、少なくとも吸収器及び蒸発器を一つの缶胴に収めると共に、該吸収器と蒸発器の間に仕切り板を設け、該吸収器の伝熱管群を吸収器受け皿と缶胴と側板で囲い、該吸収器と該蒸発器との間には該側板と該仕切り板とに囲まれた吸収器側に含まれる蒸気相の空間を設けたことを特徴とする。
【０００８】
【発明の実施の形態】
以下、本発明の実施の形態例を図面に基づいて説明する。なお、本発明はこの実施の形態例に限定されるものではないことは当然である。
【０００９】
図１は本発明の吸収冷凍機の概略構成例を示す縦断面図である。図１において、Ａは吸収器、Ｅは蒸発器、Ｇは再生器、Ｃは凝縮器である。これら吸収器Ａ、蒸発器Ｅ、再生器Ｇ及び凝縮器Ｃは断面矩形状の缶胴１に収容されている。即ち、最下部に吸収器Ａを配置し、その上方に凝縮器Ｃを配置し、その上に再生器Ｇを配置し、更に吸収器Ａに隣接し且つ斜め上方に渡って蒸発器Ｅを配置している。そして吸収器Ａと凝縮器Ｃの間は仕切り板２で仕切られ、凝縮器Ｃと再生器Ｇの間は仕切り板３，３とエリミネータ５で仕切られ、吸収器Ａと蒸発器Ｅの間は仕切り板４とエリミネータ６で仕切られている。
【００１０】
吸収器Ａの下面には受け皿７が配置され、更に吸収器Ａの蒸発器Ｅの側には側板８が前記仕切り板４との間に間隔を設けて配置されている。即ち、吸収器Ａはその底面が受け皿７、その側面が前記側板８及び缶胴の一側部で囲われている。従って、蒸発器Ｅからの冷媒蒸気は仕切り板４の上部に配置されたエリミネータ６を通して、吸収器Ａ内に下方に向かって流入するようになっている。また、吸収器Ａと蒸発器Ｅの下方の冷媒収容部１６の間は側板８と仕切り板４で囲まれた吸収器Ａ側に含まれる蒸気相の空間９で仕切られている。
【００１１】
また、吸収器Ａは受け皿７の上方には不凝縮ガスを抽気するためのエジェクター１０が配置され、その上方に吸収器伝熱管群１１が配置され、その上方に濃溶液スプレー管１２が配置された構成である。また、凝縮器Ｃは凝縮器伝熱管群１３が配置された構成である。また、再生器Ｇは再生器伝熱管群１４が配置され、その上方に希溶液スプレー管１５が配置された構成である。
【００１２】
蒸発器Ｅ内は下方に冷媒収容部１６が配置され、その上方に蒸発器伝熱管群１７が配置され、更にその上方には冷媒スプレー管１８が配置された構成である。
【００１３】
上記構成の吸収冷凍機において、吸収器Ａで蒸発器Ｅからの冷媒蒸気を濃溶液スプレー管１２からスプレーされた濃溶液により吸収する。この冷媒蒸気を吸収した濃溶液は希溶液となり、受け皿７に収容される。この時不凝縮ガスはエジェクター１０で抽気され、図示しない抽気タンクに収容する。吸収器Ａの下部に溜った希溶液は溶液ポンプＳＰにより、管２０、熱交換器Ｘの被加熱側及び管２１を通り、希溶液スプレー管１５から再生器Ｇ内にスプレーされる。該再生器Ｇ内で希溶液は再生器伝熱管群１４内を流れる熱源２２により加熱され、冷媒は蒸発して濃縮される。
【００１４】
上記再生器Ｇで濃縮された濃溶液は管２３、熱交換器Ｘの加熱側及び管２４を通って濃溶液スプレー管１２から吸収器Ａ内にスプレーされ循環する。一方、再生器Ｇで蒸発した冷媒蒸気はエリミネータ５及び通路２５を通り、凝縮器Ｃに流れ込み、該凝縮器Ｃで凝縮器伝熱管群１３内を流れる冷却水２６により冷却されて冷媒液となり、管２７から蒸発器Ｅに流れ込む。
【００１５】
蒸発器Ｅでは、冷媒収容部１６内の冷媒液Ｑが冷媒ポンプＲＰにより、管１９から冷媒スプレー管１８に送られ、該冷媒スプレー管１８から蒸発器伝熱管群１７上にスプレーされる。スプレーされた冷媒は蒸発器伝熱管群１７内を流れる冷水２８から熱を奪い加熱蒸発する。そして熱の奪われた冷水２８は低温冷水となり冷房用に供給される。そして蒸発した冷媒蒸気はエリミネータ６を通って、吸収器Ａに流れ込み、上記のように濃溶液スプレー管１２からスプレーされた濃溶液に吸収される。
【００１６】
上記構成の吸収冷凍機において、もし吸収器Ａと蒸発器Ｅの冷媒収容部１６の間が仕切り板４だけで仕切られている場合（側板８が無い場合）、吸収器Ａの熱が直接冷媒収容部１６内の冷媒Ｑに伝わり、熱損失が生じると共に、吸収器Ａの側ではこの仕切り板４に接触した溶液が蒸発器Ｅの低温度により溶質の結晶が析出し、長時間に渡っては側面付近の流路を塞いでしまうという問題が生じたり、また結晶析出により、仕切り板４等の腐食が発生するという問題が起る。
【００１７】
しかしながら、本吸収冷凍機においては、吸収器Ａと蒸発器Ｅの下方の冷媒Ｑを収容する冷媒収容部１６の間は側板８と仕切り板４で囲まれた吸収器Ａ側に含まれる蒸気相の空間９で仕切られているから、吸収器Ａの熱が直接冷媒収容部１６内の冷媒に伝わりにくく、熱損失が生じることがないと共に、吸収器Ａの側では側板８に蒸発器Ｅの低温が伝わりにくく、溶液の溶質の結晶が側板８の面上等に析出することはない。
【００１８】
なお、上記実施形態例では、缶胴１内に吸収器Ａ、蒸発器Ｅ、再生器Ｇ及び凝縮器Ｃが収容されている例を示したが、本発明はこれに限定されるものではなく、少なくとも吸収器Ａ及び蒸発器Ｅが一つの缶胴に収められ、吸収器Ａの伝熱管群を該吸収器Ａの受け皿と缶胴と側板とで囲み、吸収器Ａと蒸発器Ｅとの間に側板と仕切り板で挟まれた吸収器Ａ側に含まれる冷媒蒸気相の空間を設けた構成であればその具体的構成はどのようなものであってもよい。
【００１９】
【発明の効果】
以上説明したように、本発明によれば、吸収器の伝熱管群を吸収器受け皿と缶胴と側板で囲い、該吸収器と該蒸発器との間には該側板と該仕切り板とに囲まれた吸収器側に含まれる蒸気相の空間を設けたので、下記のような優れた効果が得られる。
【００２０】
吸収器の熱が直接蒸発器内の冷媒に伝わり、熱損失が生じたり、吸収器側で側板の面上に溶質の結晶が析出したり、結晶析出による側板等の腐食の恐れがない吸収冷凍機を提供するとができる。
【図面の簡単な説明】
【図１】本発明の吸収冷凍機の概略構成例を示す縦断面図である。
【符号の説明】
Ａ            吸収器
Ｃ            凝縮器
Ｅ            蒸発器
Ｇ            再生器
Ｘ            熱交換器
ＳＰ          溶液ポンプ
ＲＰ          冷媒ポンプ
１            缶胴
２            仕切り板
３            仕切り板
４            仕切り板
５            エリミネータ
６            エリミネータ
７            受け皿
８            側板
９            蒸気相の空間
１０          エジェクター
１１          吸収器伝熱管群
１２          濃溶液スプレー管
１３          凝縮器伝熱管群
１４          再生器伝熱管群
１５          希溶液スプレー管
１６          冷媒収容部
１７          蒸発器伝熱管群
１８          冷媒スプレー管
【図１】
0003541119.tif 000002